(57)【特許請求の範囲】
【請求項１】
地中に埋設される排水管路に接続され上方に向けて突設された掃除口の上部の開口部に取付けられる蓋において、
この蓋は、前記掃除口の前記開口部を覆って着脱自在に装着される本体部材と、この本体部材に嵌込まれて固着された蓋部材とを備え、
この蓋部材は、
前記掃除口の内部と外部とを連通させるとともに管上部が地面よりほぼ垂直方向に所定寸法立ち上がって前記本体部材に取付けられた連通管と、
この連通管の内部への雨水及び異物の浸入を防止するように前記連通管の上部開口部を覆う一対のほぼＬ字状のカバー部材とを有し、
蓋開閉用の治具を係合可能な溝部が、この一対のカバー部材の間に形成されていることを特徴とする排水管路における掃除口の蓋。
【請求項２】
前記本体部材は、円形の第１の板状部と、この第１の板状部の外周部近傍から下方に一体的に突出形成された円筒状部とを備え、
前記第１の板状部の外周縁には、切欠部が一箇所又は複数箇所に形成されて、この切欠部に治具を挿入することにより前記蓋を蓋受け枠から取り外し可能になっていることを特徴とする請求項１に記載の排水管路における掃除口の蓋。
【請求項３】
前記蓋部材は、円形状をなし周縁部が下方に一体的に折曲されて前記第１の板状部の上面に当接して位置決めされる第２の板状部と、この第２の板状部にほぼ直角方向に一体的に形成された前記連通管と、前記第２の板状部から上方にほぼＬ字状に一体的に突出形成された前記カバー部材とを備えていることを特徴とする請求項２に記載の排水管路における掃除口の蓋。
【請求項４】
前記溝部は、その両端部側に開放するか又は一方の端部のみに開放する形状を有しており、
前記溝部は、前記第２の板状部と、この第２の板状部からほぼ垂直に立ち上がって対向配置された一対の立ち上がり部とにより形成されて断面がほぼＵ字状をなしていることを特徴とする請求項３に記載の排水管路における掃除口の蓋。
【請求項５】
前記連通管は、前記蓋の中心の両側の対称位置に一対設けられ、この一対の連通管は、前記第１の板状部にほぼ垂直方向に穿設された一対の貫通孔にそれぞれ嵌合していることを特徴とする請求項２，３又は４に記載の排水管路における掃除口の蓋。
【請求項６】
前記本体部材の外径寸法が変わっても、前記第１の板状部に穿設される前記貫通孔の寸法及び位置は同一になっていることを特徴とする請求項５に記載の排水管路における掃除口の蓋。
【請求項７】
前記本体部材には前記掃除口の前記開口部にねじ込むためのねじ部を形成し、
前記連通管と前記カバー部材をそれぞれ一対設け、
前記蓋開閉用の治具を前記溝部に係合させて前記蓋を回すことにより、前記掃除口の前記開口部に前記蓋を着脱するようにしたことを特徴とする請求項１に記載の排水管路における掃除口の蓋。
【請求項８】
前記連通管は、前記蓋の中心の両側の対称位置に一対設けられ、この一対の連通管は、前記本体部材の第１の板状部にほぼ垂直方向に穿設された一対の貫通孔にそれぞれ嵌合しており、
前記蓋開閉用の治具を回せば前記本体部材と前記蓋部材は一体的に回転することになり、前記一対の連通管が、前記本体部材に対する前記蓋部材の回り止めの機能を有していることを特徴とする請求項７に記載の排水管路における掃除口の蓋。
【請求項９】
前記掃除口の内部の気圧が前記掃除口の外部の気圧に対して変化した時に自動的に開く弁を、前記本体部材から下方に突出する前記連通管の管下部に設けたことを特徴とする請求項１ないし８のいずれかの項に記載の排水管路における掃除口の蓋。
【請求項１０】
前記弁は、一方の前記連通管に設けられた排気用の弁と、他方の前記連通管に設けられた吸気用の弁であり、
前記排気用の弁は、前記掃除口の内部の気圧が高い時に、この掃除口の内部の空気を前記掃除口の外部に排出させ、このとき前記吸気用の弁は閉じた状態になっており、
前記吸気用の弁は、前記掃除口の内部の気圧が低い時に、前記掃除口の外部の空気を前記掃除口の内部に吸引し、このとき前記排気用の弁は閉じていることを特徴とする請求項９に記載の排水管路における掃除口の蓋。
【発明の詳細な説明】
【０００１】
【発明の属する技術分野】
本発明は、排水管路における掃除口の蓋に係り、例えば、各家庭の排水が流れる排水管路に設けられた掃除口に取付けるための蓋に関する。
【０００２】
【従来の技術】
家庭から排出される雑排水のような排水は、宅地内の地中に埋設された排水導入管を流れ、合流地点に設置された排水桝（汚水桝）で合流したのち排水主管を流れ、宅地内又は宅地外に設置された公共桝を介して、宅地外の公共下水道に排出される。
家庭の流し台や風呂など排水発生源に前記排水導入管の一端が接続され、この排水導入管の他端は排水桝に接続され、排水桝は排水発生源毎に設置されている。排水桝には上方に向けて掃除口が突設され、この掃除口の上部の開口部は蓋により密閉されている。
【０００３】
【発明が解決しようとする課題】
排水導入管，排水桝，排水主管等により構成される排水管路は、雨水や地下水などいわゆる不明水が浸入して排水の量が増加しないように全体的に密閉構造になっており、また、管内壁には付着物が付着している場合もあるので、排水管路が負圧になると排水が流れ難くなって、排水管路の詰まりが生じやすくなる。
また、排水発生源の下部又は排水桝にＵ字状のトラップを設けることにより、排水管路内の臭気の逆流を防止している。家庭から排出される排水には、食物の残渣，繊維状物質，湯泥など固形物が含まれているので、管路が曲げられているトラップでは、ここに固形物が次第に溜まって排水の流れのブレーキになり、管詰まりが生じやすい。
【０００４】
トラップは排水桝と排水発生源のいずれか一方のみに設けてあればよいので、排水桝の設置工事の際には、排水発生源側にトラップが設けられているか否かを確認した後、トラップ付きの排水桝又はトラップ無しの排水桝を設置する。
しかしながら、排水発生源側にトラップが設けられているにも拘らず、うっかりトラップ付きの排水桝を設置してしまい、その結果、いわゆる「二重トラップ」が形成されることがある。
【０００５】
この場合には、一方のトラップと他方のトラップの間の排水導入管が密閉状態になってここに空気が密封された状態になるので、管路内が負圧になると排水が流れ難くなり、管詰まりが生じる可能性が高くなる。
そして、排水発生源で水を流すと、密封された排水導入管の内部は排水の流れにより負圧になり、上流側すなわち排水発生源側のトラップ内の水が引っ張られてこの上流側トラップの水封が壊れる「封水破壊」が生じる。この時、大きな音が発生し、また、臭気が上流側トラップを通って排水発生源側に漏れ出てしまう。
このように、二重トラップは前記封水破壊及び管詰まりのトラブルを引き起こすので、二重トラップが万一形成されてしまった場合には、これを手直しする必要がある。そのため、従来は、施工済みのトラップ付き排水桝をトラップの無い排水桝に取り替える工事を行っていた。
【０００６】
二重トラップに対する他の対策として、特開平９−１２５５０８号公報には、出し入れ自在な仕切り板を排水桝に取付けてトラップ付き排水桝とした構成が開示されている。この技術では、二重トラップが形成された時には、仕切り板を取外すことによりトラップ無しの排水桝に変更して、二重トラップを解消するようにしている。
しかしながら、このトラップ付き排水桝では、二重トラップが形成されていない正常な配管の場合に、前記仕切り板のシール部から排水が漏れるとこの排水桝にトラップが形成されず、臭気が逆流する恐れがあった。
【０００７】
本発明は、斯かる課題を解決するためになされたもので、排水管路内の排水を流れやすくして排水管路の詰まりを防止することができ、また、蓋の本体部材が、蓋受け枠に対して上下に動かして着脱する方式やねじ込み式のいずれの場合であっても、同じ蓋部材を兼用することができる、排水管路における掃除口の蓋を提供することを目的とする。
【０００８】
【課題を解決するための手段】
上述の目的を達成するため、本発明に係る排水管路における掃除口の蓋は、地中に埋設される排水管路に接続され上方に向けて突設された掃除口の上部の開口部に取付けられる蓋において、この蓋は、前記掃除口の前記開口部を覆って着脱自在に装着される本体部材と、この本体部材に嵌込まれて固着された蓋部材とを備え、この蓋部材は、前記掃除口の内部と外部とを連通させるとともに管上部が地面よりほぼ垂直方向に所定寸法立ち上がって前記本体部材に取付けられた連通管と、この連通管の内部への雨水及び異物の浸入を防止するように前記連通管の上部開口部を覆う一対のほぼＬ字状のカバー部材とを有している。そして、蓋開閉用の治具を係合可能な溝部が、この一対のカバー部材の間に形成されている。
【０００９】
前記本体部材は、円形の第１の板状部と、この第１の板状部の外周部近傍から下方に一体的に突出形成された円筒状部とを備え、前記第１の板状部の外周縁には、切欠部が一箇所又は複数箇所に形成されて、この切欠部に治具を挿入することにより前記蓋を蓋受け枠から取り外し可能になっているのが好ましい。
また、前記蓋部材は、円形状をなし周縁部が下方に一体的に折曲されて前記第１の板状部の上面に当接して位置決めされる第２の板状部と、この第２の板状部にほぼ直角方向に一体的に形成された前記連通管と、前記第２の板状部から上方にほぼＬ字状に一体的に突出形成された前記カバー部材とを備えているのが好ましい。
さらに、前記溝部は、その両端部側に開放するか又は一方の端部のみに開放する形状を有しており、前記溝部は、前記第２の板状部と、この第２の板状部からほぼ垂直に立ち上がって対向配置された一対の立ち上がり部とにより形成されて断面がほぼＵ字状をなしているのが好ましい。
前記連通管は、前記蓋の中心の両側の対称位置に一対設けられ、この一対の連通管は、前記第１の板状部にほぼ垂直方向に穿設された一対の貫通孔にそれぞれ嵌合しているのが好ましい。
前記本体部材の外径寸法が変わっても、前記第１の板状部に穿設される前記貫通孔の寸法及び位置は同一になっているのが好ましい。
また、前記本体部材には前記掃除口の前記開口部にねじ込むためのねじ部を形成し、前記連通管と前記カバー部材をそれぞれ一対設け、前記蓋開閉用の治具を前記溝部に係合させて前記蓋を回すことにより、前記掃除口の前記開口部に前記蓋を着脱するのが好ましい。
前記連通管は、前記蓋の中心の両側の対称位置に一対設けられ、この一対の連通管は、前記本体部材の第１の板状部にほぼ垂直方向に穿設された一対の貫通孔にそれぞれ嵌合しており、前記蓋開閉用の治具を回せば前記本体部材と前記蓋部材は一体的に回転することになり、前記一対の連通管が、前記本体部材に対する前記蓋部材の回り止めの機能を有しているのが好ましい。
【００１０】
前記掃除口の内部の気圧が前記掃除口の外部の気圧に対して変化した時に自動的に開く弁を、前記本体部材から下方に突出する前記連通管の管下部に設けるのが好ましい。
一つの好ましい実施態様として、前記弁は、一方の前記連通管に設けられた排気用の弁と、他方の前記連通管に設けられた吸気用の弁であり、前記排気用の弁は、前記掃除口の内部の気圧が高い時に、この掃除口の内部の空気を前記掃除口の外部に排出させ、このとき前記吸気用の弁は閉じた状態になっており、前記吸気用の弁は、前記掃除口の内部の気圧が低い時に、前記掃除口の外部の空気を前記掃除口の内部に吸引し、このとき前記排気用の弁は閉じている。
【００１１】
【発明の実施の形態】
以下、本発明における実施の形態の一例を図１ないし図７を参照して説明する。
図１及び図２はそれぞれ排水管路を示す概略説明図及び部分拡大断面図、図３は前記排水管路に設けられた掃除口の蓋の平面図、図４は図３のIV−IV線正面断面図、図５は図３のＶ−Ｖ線側面断面図である。
【００１２】
図１及び図２に示すように、各家庭の流し台，洗面台，風呂など排水発生源１から排出される排水は、排水発生源１に接続された排水導入管２を流れて、合流地点４で排水主管３に合流する。
合流地点４には排水桝５が排水発生源１毎に設置されている。排水導入管２，排水桝５，排水主管３及び公共桝（図示せず）などにより、地中に埋設される排水管路６が構成されている。
【００１３】
本実施形態の排水管路６では、住宅９内に設置された流し台が排水発生源１であり、排水発生源１の排出部にはＵ字状の第１のトラップ７が設けられているにも拘らず、排水桝５にもＵ字状の第２のトラップ８を設けてしまった場合を示している。
その結果、排水導入管２の上流側と下流側にそれぞれ第１，第２のトラップ７，８が設置されて、排水管路に二重トラップが形成されている。第１，第２のトラップ７，８の間に配置されているトラップ用の掃除口２４の開口部２５には、トラップ用の蓋２３が取付けられている。
【００１４】
掃除口２４の開口部２５に設けられる蓋は、密閉式にしないと雨水や土砂などが掃除口２４の内部Ｓ1 に浸入するとともに臭気の問題も発生するので、従来は前記蓋を密閉式の構造にしていた。
これに対して、本発明では、蓋２３に連通管３１（図４）を設け、この連通管３１により掃除口２４の内部Ｓ1 と外部Ｓ2 とを積極的に連通させることにより、排水の流れを良好にするとともに二重トラップのトラブルも防止するようにしている。
【００１５】
排水桝５は、硬質の塩化ビニル樹脂など合成樹脂により形成されて地中に埋設される。排水桝５は、排水主管３が一端と他端にそれぞれ接続される桝本体１０と、桝本体１０の側方に一体的に突出形成されて下向きに開口する連結管１１と、連結管１１の下向きの開口部に一端が連結されたＵ字状のトラップ（即ち、第２のトラップ）８とを備えたトラップ付き排水桝である。
桝本体１０の両端部にはそれぞれ排水主管３が接続され、桝本体１０から上方に突出する接続筒１６には、主管掃除管１２がほぼ垂直方向に接続されている。
主管掃除管１２の上端には、地面部に位置する蓋受け枠１３が取付けられ、蓋受け枠１３には主管用の蓋１４が着脱自在に取付けられている。この主管用の蓋１４は密閉構造になっている。接続筒１６，主管掃除管１２，蓋受け枠１３及び蓋１４により、主管用の掃除口１５が構成されている。
【００１６】
第２のトラップ８の上方に開口する他端部にはＴ字状の分岐管２０が接続され、分岐管２０の側方には排水導入管２が接続されている。分岐管２０の上方にはトラップ掃除管２１がほぼ垂直方向に接続され、トラップ掃除管２１の上端には地面部に位置する蓋受け枠２２が取付けられ、蓋受け枠２２には前記蓋２３が着脱自在に取付けられている。
分岐管２０，トラップ掃除管２１，蓋受け枠２２及び蓋２３により、トラップ用の掃除口２４が構成されており、この掃除口２４は、地中に埋設される排水管路６に接続され上方に向けて突設されている。
主管用の蓋１４を開けることにより、主管用の掃除口１５を介して桝本体１０及び排水主管３の掃除ができ、トラップ用の蓋２３を開けることにより、トラップ用の掃除口２４を介して第２のトラップ８の掃除ができる。
【００１７】
かかる構成の排水管路６において、排水発生源１から排出された排水は、第１のトラップ７を介して排水導入管２を流れ、分岐管２０から第２のトラップ８を通って連結管１１，桝本体１０から排水主管３に流れ出る。第１，第２のトラップ７，８で常時水封されているので、排水主管３からの臭気が排水発生源１の方には逆流しない。
【００１８】
次に、トラップ用の蓋２３について説明する。
図２ないし図５に示すように、蓋２３は、掃除口２４の開口部２５を覆って着脱自在に装着される本体部材３０と、掃除口２４の内部Ｓ1 と外部Ｓ2 とを連通させるとともに管上部２６が地面Ｇよりほぼ垂直方向に所定寸法Ｈだけ立ち上がって本体部材３０に取付けられた連通管３１と、連通管３１の内部への雨水及び異物（例えば、土砂）の浸入を防止するように連通管３１の上部開口部３２を覆うカバー部材３３とを備えている。
【００１９】
本体部材３０及びカバー部材３３は、硬くて長持ちするように硬質の塩化ビニル樹脂により形成されている。
本体部材３０は、円形の第１の板状部３４と、第１の板状部３４の外周部近傍から下方に一体的に突出形成された円筒状部３５とを備えている。第１の板状部３４の外周縁３６はテーパ状に形成されているので、本体部材３０は、トラップ用の掃除口２４の蓋受け枠２２に対して容易に着脱できる。
第１の板状部３４の外周縁３６には、切欠部４３が一箇所又は複数箇所（例えば、三箇所）に形成されているので、この切欠部４３にドライバなど治具を挿入することにより、蓋２３を蓋受け枠２２から取り外すことができる。
【００２０】
リブ３７が、第１の板状部３４及び円筒状部３５に一体的に取付けられており、このリブ３７により本体部材３０が補強されている。
蓋２３と蓋受け枠２２の間は、ポリエチレンなど可撓性の合成樹脂により一体成形された円環状のシール部材３８によりシールされている。シール部材３８は、円筒状部３５の外周面３９に段状に形成された係止部４０に着脱可能に係合するとともに、蓋受け枠２２の内周面４１に密着する。
【００２１】
本体部材３０には、蓋部材４４が上方から嵌込まれて固着されるようになっている。蓋部材４４は、円形状をなし周縁部４６ａが下方に一体的に折曲されて第１の板状部３４の上面４５に当接して位置決めされる第２の板状部４６と、第２の板状部４６にほぼ直角方向に一体的に形成された前記連通管３１と、第２の板状部４６から上方にほぼＬ字状に一体的に突出形成された前記カバー部材３３とを備えている。
連通管３１は一本でもよいが、本実施形態では、蓋２３の中心Ｃの両側の対称位置に一対設けられている。一対の連通管３１は、第１の板状部３４にほぼ垂直方向に穿設された一対の貫通孔４２にそれぞれ嵌合しており、連通管３１の管下部２７は、第１の板状部３４の下面５２より所定寸法Ｂだけ下方に突出している。
なお、連通管３１は少なくとも二本設けるのが好ましく、三本以上であってもよい。
【００２２】
カバー部材３３は、一対の連通管３１を覆うように中心Ｃの両側の対称位置に一対設けられ、連通管３１の上部開口部３２より上方に所定寸法Ｉだけ離れた位置に配設されているので、連通管３１には空気が上部開口部３２から出入り自在になっている。
カバー部材３３は、一体的に形成されたリブ５４により補強されている。カバー部材３３の上面５３には、中央部が高く周辺に行くに従って低くなるような一対のなだらかな傾斜面５１が両側に形成されている。
一対のカバー部材３３の間には、両端部４７，４８側に開放する溝部４９が形成されている。溝部４９は、第２の板状部４６と、第２の板状部４６からほぼ垂直に立ち上がって対向配置された一対の立ち上がり部５０とにより形成されて、断面がほぼＵ字状をなしている。なお、溝部４９は一方の端部４７（又は４８）のみに開放する形状であってもよい。
蓋部材４４において、第２の板状部４６と、この第２の板状部４６からほぼ垂直に立ち上がって対向配置された一対の立ち上がり部５０と、第２の板状部４６にほぼ直角方向に一体的に形成された一対の連通管３１とが、全体的に一体化して断面Ｈ形部を構成しており、この断面Ｈ形部の上半分が溝部４９になっている。
【００２３】
蓋部材４４には前記溝部４９が形成されているので、本体部材３０が本実施形態のように蓋受け枠２２に対して上下に動かして着脱する方式や、後述するねじ込み式（図６）のいずれの場合であっても、同じ蓋部材４４を兼用することができる。
また、本体部材３０の外径寸法が変わっても、第１の板状部３４に穿設される貫通孔４２の寸法及び位置は同一になっている。したがって、掃除口２４のサイズが異なる場合でも、本体部材３０のみをその寸法に対応した外径寸法にし、蓋部材４４は同一のものを使用できるので、蓋部材４４の部品共通化が可能になる。
【００２４】
蓋部材４４を本体部材３０に固着する場合には、連通管３１を本体部材３０の貫通孔４２に挿入するとともに、上方にある第２の板状部４６の周縁部４６ａを、下方にある第１の板状部３４の上面４５に当接させて位置決めし、連通管３１と貫通孔４２とを圧入又は接着剤により固着すればよい。
トラップ用の蓋２３をトラップ用の掃除口２４の開口部２５に取付ける場合には、蓋受け枠２２に本体部材３０を嵌込んで下方に押し込む。すると、第１の板状部３４の外周縁３６と蓋受け枠２２とが密着し、シール部材３８により円筒状部３５と蓋受け枠２２との間がシールされる。
【００２５】
一対の連通管３１により、掃除口２４の内部Ｓ1 と外部Ｓ2 とが連通しているので、掃除口２４及び排水導入管２の内部の気圧は、地上の気圧と常にほぼ同一になる。
その結果、第１，第２のトラップ７，８により二重トラップが形成された場合でも、第１，第２のトラップ７，８の間の管路は負圧にならないので、第１のトラップ７に封水破壊が発生することを防止することができ、また、排水中に固形物などが含まれていても流れの状態を良好にすることができる。
【００２６】
連通管３１の上部開口部３２はカバー部材３３により覆われているので、雨水や土砂など異物が連通管３１を通って排水管路６内に浸入することは殆どない。
また、連通管３１が地面Ｇより所定寸法Ｈだけほぼ直角に立ち上がっているので、風が吹いている時でも、雨水や土砂等が横方向から連通管３１内に浸入することも殆どない。
連通管３１を覆うカバー部材３３は比較的高さが低く、しかもカバー部材３３にはなだらかな傾斜面５１が形成されているので、地面Ｇの位置に蓋２３があってもそれほど邪魔にならず、人間が蓋２３に足を引っ掛かけてつまずいたりすることが少ない。
【００２７】
連通管３１により掃除口２４の内部Ｓ1 と外部Ｓ2 とを連通させたので、排水導入管２の内部が負圧になることがなくなり、排水導入管２内の排水が流れやすくなって排水管路６の詰まりを防止することができる。
排水が流れると排水管路６の気圧は低下する傾向があることから、連通管３１により排水管路６の内部と外部とを連通させても内部の空気が外部に流れ出ることは少ないので、臭気が外部に漏れ出ることは殆どない。
特に、トラップ用の掃除口２４に本発明の蓋２３を取付けた場合には、排水導入管２の内部の臭気は排水主管３の内部の臭気と比べて弱いので、蓋２３を取付けたことによる臭気のトラブルは殆どない。
【００２８】
図６は前記蓋の他の例を示す正面断面図で図４相当図、図７は前記蓋の更に他の例を示す正面断面図で図４相当図である。
なお、前記実施形態と同一又は相当部分には同一符号を付してその説明を省略し、異なる部分のみ説明する。
【００２９】
図６に示すトラップ用の蓋２３ａは、ねじ込み式になっている。即ち、この蓋２３ａの本体部材３０ａには、トラップ用の掃除口２４の開口部２５にねじ込むためのねじ部である雄ねじ部６０が形成されている。
雄ねじ部６０は、本体部材３０ａを構成する第１の板状部３４ａの外周縁３６ａに形成されている。蓋受け枠２２ａには雌ねじ部６４が形成され、この雌ねじ部６４に雄ねじ部６０をねじ込むことにより蓋２３ａが取付けられる。
【００３０】
蓋部材４４は前記実施形態の蓋部材と同一の構成であるので、溝部４９に蓋開閉用の治具としてのハンドル６１を係合させて蓋２３ａを回すことにより、掃除口２４の開口部２５に蓋２３ａを着脱するようにしている。
この蓋２３ａによれば、長いハンドル６１を使用して大きなモーメントで蓋２３ａを回すことができる。したがって、蓋２３ａの直径が大きい場合であっても、小さな力で蓋２３ａを蓋受け枠２２ａに容易に着脱することができる。
蓋部材４４の一対の連通管３１が、本体部材３０ａの一対の貫通孔４２に係合しているので、ハンドル６１を回せば本体部材３０ａと蓋部材４４は一体的に回転することになり、一対の連通管３１が、本体部材３０ａに対する蓋部材４４の回り止めの機能も有している。
したがって、ハンドル６１を回すことにより、本体部材３０ａにも回転力が伝達されて回転するので、蓋２３ａの着脱を容易に行うことができる。
【００３１】
図７に示すトラップ用の蓋２３ｂでは、トラップ用の掃除口２４の内部Ｓ1 の気圧が掃除口２４の外部Ｓ2 の気圧に対して変化した時に自動的に開く排気用の弁６２及び吸気用の弁６３が、本体部材３０から下方に突出する一対の連通管３１の管下部２７にそれぞれ設けられている。
弁６２，６３は天然ゴム製又は合成ゴム製であり、掃除口２４の内部Ｓ1 と外部Ｓ2 の気圧がほぼ同じ時には内部Ｓ1 と外部Ｓ2 を遮蔽し、気圧が変化した時には一方向にのみ空気を流すような逆止弁の機能をそれぞれ有している。
弁６２，６３は同一の構造を有しており、連通管３１への取付け方向が上下逆方向になっている。
【００３２】
弁６２，６３にはゴム製の弁体６４がそれぞれ一体的に設けられ、気圧の変動により弁体６４が自動的に開閉するようになっている。一方の連通管３１に設けられた排気用の弁６２は、掃除口２４の内部Ｓ1 の気圧が高い時に、矢印Ｄに示すように内部Ｓ1 の空気を外部Ｓ2 に排出させる。この時、他方の弁６３は閉じた状態になっている。
他方の連通管３１に設けられた吸気用の弁６３は、掃除口２４の気圧が低い時に、矢印Ｅに示すように、外部Ｓ2 の空気を掃除口２４の内部Ｓ1 に吸引するようになっており、このとき一方の弁６２は閉じている。
【００３３】
弁６２，６３の上述の動作により、掃除口２４の内部Ｓ1 と外部Ｓ2 の気圧は常時ほぼ同じになるので、排水導入管２内の排水が流れやすくなる。
このように、弁６２，６３を設けることにとより、掃除口２４の内部Ｓ1 と外部Ｓ2 を遮蔽するとともに、必要な時にのみ弁６２，６３が開いて空気を流すので、掃除口２４内の気圧が負圧になることがなく、排水が流れやすくなる。
【００３４】
弁６２，６３を設けることにより、従来の密閉構造の蓋と同じように、掃除口２４の内部Ｓ1 と外部Ｓ2 をほぼ遮蔽することができるので、臭気が外部Ｓ2 に漏れ出るのを殆ど防止することができる。
なお、排気用の弁６２と吸気用の弁６３を別個に設けた場合を示したが、連通管３１を一つにして、吸排気ができる一つの弁をこの連通管に取付けてもよい。
蓋２３ｂは、上述の蓋２３又は２３ａに弁６２，６３を取付ければよいので、本体部材３０（及び３０ａ）と蓋部材４４を兼用することができ、部品を共通化することができる。
【００３５】
近年の排水管路は、塩化ビニル樹脂など合成樹脂の材料が使用され、接続部は接着剤で固着されているので、シール性が良好である。その結果、管路の内部は負圧になる傾向にあるので、排水の流れが悪くなりがちである。
そこで、排水管路の途中にほぼ垂直方向に設けられた掃除口に、本発明に係る蓋２３，２３ａ，２３ｂを取付ければ、排水管路内の排水の流れが良好になって排水管路の詰まりを防止することができる。
【００３６】
蓋２３，２３ａ，２３ｂは、主管用の掃除口１５の上部の開口部、及びトラップ用の掃除口２４の上部の開口部２５の何れにも取付けることができるが、本実施形態では、図１に示すような二重トラップが形成されてしまった場合の、トラップ用の掃除口２４の開口部２５に蓋２３，２３ａ，２３ｂを取付けることにより、排水を流れやすくして排水管路の詰まりを防止するとともに、二重トラップに特有のトラブル例えば封水破壊の発生も防止している。
したがって、 施工済みのトラップ付き排水桝を、トラップの無い排水桝に取り替える煩雑な工事が不要になる。
【００３７】
また、二重トラップが形成されていない正常な配管の場合に、トラップ用の掃除口２４の開口部２５には本発明の蓋の代わりに密閉式の蓋を取付ければよい。
したがって、前記特開平９−１２５５０８号公報に記載の排水桝のように、着脱自在な仕切り板のシール部から排水が漏れて排水桝にトラップが形成されず臭気が逆流してしまうという不具合が生じることはない。
なお、各図中同一符号は同一又は相当部分を示す。
【００３８】
【発明の効果】
本発明は上述のように構成したので、排水管路内の排水を流れやすくして排水管路の詰まりを防止することができ、また、蓋部材の一対のカバー部材の間に溝部が形成されているので、蓋の本体部材を蓋受け枠に対して上下に動かして着脱する方式の場合には、本体部材にたとえば切欠部を形成してこの切欠部にドライバなど治具を挿入して蓋を蓋受け枠から取外すことができ、一方、本体部材がねじ込み式の場合には、蓋部材の溝部にハンドルなど蓋開閉用治具を係合させた状態で回して蓋を着脱すればよく、いずれの方式の場合であっても同じ蓋部材を兼用することができる。
【図面の簡単な説明】
【図１】  図１ないし図７は本発明の一実施形態を示す図で、図１は排水管路を示す概略説明図である。
【図２】  前記排水管路の部分拡大断面図である。
【図３】  前記排水管路に設けられた掃除口の蓋の平面図である。
【図４】  図３のIV−IV線正面断面図である。
【図５】  図３のＶ−Ｖ線側面断面図である。
【図６】  前記蓋の他の例を示す正面断面図で図４相当図である。
【図７】  前記蓋の更に他の例を示す正面断面図で図４相当図である。
【符号の説明】
６    排水管路
７    第１のトラップ（トラップ）
８    第２のトラップ（トラップ）
１５    主管用の掃除口（掃除口）
２２    蓋受け枠
２３，２３ａ，２３ｂ    蓋
２４    トラップ用の掃除口（掃除口）
２５    開口部
２６    連通管の管上部
２７    連通管の管下部
３０，３０ａ    本体部材
３１    連通管
３２    上部開口部
３３    カバー部材
３４    第１の板状部
３５    円筒状部
３６    外周縁
４２    貫通孔
４３    切欠部
４４    蓋部材
４５    第１の板状部の上面
４６    第２の板状部
４６ａ  周縁部
４７，４８    端部
４９    溝部
５０    立ち上がり部
６０    雄ねじ部（ねじ部）
６１    ハンドル（蓋開閉用の治具）
６２    排気用の弁（弁）
６３    吸気用の弁（弁）
Ｃ    蓋の中心
Ｇ    地面
Ｈ    所定寸法
Ｓ１    掃除口の内部
Ｓ２    掃除口の外部
【図１】
0003667968.tif 000002
【図２】
0003667968.tif 000003
【図３】
0003667968.tif 000004
【図４】
0003667968.tif 000005
【図５】
0003667968.tif 000006
【図６】
0003667968.tif 000007
【図７】
0003667968.tif 000008